(57)【要約】【課題】  オンライン登録にて必要な記入事項を極力少なくすること。【解決手段】  携帯またはＰＨＳ電話機能を内蔵する携帯型の端末装置において、電話画面上でプロバイダアイコン（未登録アイコン３６Ｄ）を操作すると、サービス加入画面が表示される。ここで、ＩＤは当該端末装置中に書き込まれているものが表示され、ユーザは、所望のパスワードを入力して、登録ボタン３６Ｅを操作することで、サービスプロバイダに接続すると、該端末装置は、この入力されたパスワードと共に、当該携帯端末中に書き込まれているＩＤと電話番号をサービスプロバイダに送信する。これで、オンライン登録が完了し、ユーザは、後日、当該端末装置に同梱されている正式申し込み用紙に必要事項を記入してサービスプロバイダに送付することで、登録の全てが完了する。【選択図】      図５
2004343791.tif 000002
【特許請求の範囲】
【請求項１】
各種情報サービスを提供するサービス提供装置との間で通信を行なう通信端末装置であって、
当該通信端末装置に対して予め割り当てられた固有情報を記憶する固有情報記憶手段と、
上記サービス提供装置に対して上記情報サービスの利用を登録済みであることを示す登録情報を記憶する登録情報記憶手段と、
上記情報サービスへのアクセスを指示する指示手段と、
上記情報サービスへのアクセス指示により、上記サービス提供装置に対して上記情報サービスの利用登録済みであるか否かを上記登録情報に基づいて判別する判別手段と、
上記情報サービスへの利用登録済みであれば、上記固有情報記憶手段に記憶された固有情報を読み出し、上記サービス提供装置に対してサービス要求を送信する送信手段と、
上記サービス要求を受けて上記サービス提供装置から送信されてくる情報サービスの内容を受信して表示するサービス内容表示手段と、
上記情報サービスへの利用登録済みでなければ、当該情報サービスへの加入を示す画面を表示する表示手段と、
を具備したことを特徴とする通信端末装置。
【請求項２】
各種情報サービスを提供するサービス提供装置との間で通信を行なう通信端末装置であって、
当該通信端末装置に対して予め割り当てられた固有情報を記憶する固有情報記憶手段と、
上記サービス提供装置に対して上記情報サービスの利用を登録済みであることを示す登録情報を記憶する登録情報記憶手段と、
上記登録情報の有無を判別して、上記情報サービスが利用登録済みであるか否かを識別表示する識別表示手段と、
上記情報サービスへのアクセスを指示する指示手段と、
上記情報サービスへのアクセス指示の際、当該情報サービスへの利用登録済みであれば、上記固有情報記憶手段に記憶された固有情報を読み出し、上記サービス提供装置に対してサービス要求を送信する送信手段と、
上記サービス要求を受けて上記サービス提供装置から送信されてくる情報サービスの内容を受信して表示するサービス内容表示手段と、
を具備したことを特徴とする通信端末装置。
【発明の詳細な説明】
【技術分野】
【０００１】
本発明は、通信ネットワークに接続される通信端末装置に関する。
【背景技術】
【０００２】
近年、商用ネットワークやインターネット等の通信ネットワークにパーソナルコンピュータや携帯型端末等の情報処理端末を接続して、電子メール送受信等の各種サービスを簡単に利用できるようになってきている。
【０００３】
但し、情報処理端末を通信ネットワークに接続するためには、商用ネットワークの場合にはその商用ネットワーク事業者に、また、インターネットの場合には、プロバイダと称されるインターネット接続事業者に、登録（加入）することが必要である。
【０００４】
従来、このような商用ネットワーク事業者又はインターネット接続事業者への登録方法の代表的なものとしては、登録用紙に必要事項を記入して郵送する手法と、オンラインサインアップと称されるオンライン登録との２つがある。
【０００５】
また、近年、携帯またはＰＨＳ電話機能を内蔵する携帯型の情報処理端末も販売されるようになってきており、これには、特定の商用ネットワーク事業者やインターネット接続事業者に登録できるように、予めその登録手順が組み込まれていたり、申込用紙等が同梱されている。
【発明の開示】
【発明が解決しようとする課題】
【０００６】
しかしながら、登録用紙に必要事項を記入して郵送する場合には、登録完了までに時間がかかるもので、例えば１週間以上もかかり、その間は接続することができないという問題があった。
【０００７】
これに対して、オンライン登録の場合には、上記郵送による手法よりは短時間で登録を行うことができるが、多数の項目を入力しなければならないので、非常に面倒であった。しかも、中には、このような多数項目の入力をオンライン状態で行わなければならない登録法を採用する事業者もあり、この場合には、その時間分の電話料金も多くかかるといった問題点を有していた。
【０００８】
また、電話機能内蔵の携帯型情報処理端末に於いては、上記特定の商用ネットワーク事業者やインターネット接続事業者に登録できるようになっているが、当該携帯型情報処理端末が登録前のものであるのか既に登録されたものであるのかを知る手段は用意されていなかった。
【０００９】
本発明の課題は、通信による各種情報サービスを通信端末装置において簡易に利用できるようにすることである。
【課題を解決するための手段】
【００１０】
請求項１の発明は、各種情報サービスを提供するサービス提供装置との間で通信を行なう通信端末装置であって、当該通信端末装置に対して予め割り当てられた固有情報を記憶する固有情報記憶手段と、上記サービス提供装置に対して上記情報サービスの利用を登録済みであることを示す登録情報を記憶する登録情報記憶手段と、上記情報サービスへのアクセスを指示する指示手段と、上記情報サービスへのアクセス指示により、上記サービス提供装置に対して上記情報サービスの利用登録済みであるか否かを上記登録情報に基づいて判別する判別手段と、上記情報サービスへの利用登録済みであれば、上記固有情報記憶手段に記憶された固有情報を読み出し、上記サービス提供装置に対してサービス要求を送信する送信手段と、上記サービス要求を受けて上記サービス提供装置から送信されてくる情報サービスの内容を受信して表示するサービス内容表示手段と、上記情報サービスへの利用登録済みでなければ、当該情報サービスへの加入を示す画面を表示する表示手段と、を具備したことを特徴とする。
【００１１】
請求項２の発明は、各種情報サービスを提供するサービス提供装置との間で通信を行なう通信端末装置であって、当該通信端末装置に対して予め割り当てられた固有情報を記憶する固有情報記憶手段と、上記サービス提供装置に対して上記情報サービスの利用を登録済みであることを示す登録情報を記憶する登録情報記憶手段と、上記登録情報の有無を判別して、上記情報サービスが利用登録済みであるか否かを識別表示する識別表示手段と、上記情報サービスへのアクセスを指示する指示手段と、上記情報サービスへのアクセス指示の際、当該情報サービスへの利用登録済みであれば、上記固有情報記憶手段に記憶された固有情報を読み出し、上記サービス提供装置に対してサービス要求を送信する送信手段と、上記サービス要求を受けて上記サービス提供装置から送信されてくる情報サービスの内容を受信して表示するサービス内容表示手段と、を具備したことを特徴とする。
【発明の効果】
【００１２】
請求項１の発明によれば、通信端末側において各種情報サービスを受ける場合、当該情報サービスへの利用登録済みであれば、当該情報サービスに対するサービス要求を直ちに行い、当該情報サービスへの利用登録がない場合には、当該情報サービスへの登録を直ちに行なえるようにしたので、通信による各種情報サービスを通信端末装置において簡易に利用することができるようになる。
また請求項２の発明によれば、通信端末側において各種情報サービスへの利用登録済みか否かを識別表示し、当該情報サービスを受ける場合、当該情報サービスへの利用登録済みであれば当該情報サービスに対するサービス要求を直ちに行ってその情報サービスの内容を受信できるようにしたので、通信による各種情報サービスを通信端末装置において簡易に利用することができるようになる。
【発明を実施するための最良の形態】
【００１３】
以下、本発明の実施の形態の通信処理装置を図１の（Ａ）乃至図６を参照して説明する。図１の（Ａ）は本発明の第１の実施の形態の通信処理装置の適用された端末装置が利用される通信ネットワークの構成を示す図であり、公衆網等の通信回線１０を介して、電子メール送受信等の各種サービスを提供する商用ネットワーク事業者やインターネット接続事業者としてのサービスプロバイダ２０に、複数の端末装置３０（３０Ａ，３０Ｂ，…）が接続されるようになっている。
【００１４】
ここで、サービスプロバイダ２０は、特に図示しないが、モデム等の通信インタフェースとサーバとして機能するコンピュータシステムとを備えている。さらに、登録者ＤＢや各種ＤＢと、接続されるであろう端末装置３０の機種に応じた機種別メニュー画面とを記憶する記憶装置２２を有している。図１の（Ｂ）は、記憶装置２２上に構成された登録者データベース２４の構造を示す図で、ＩＤ，電話番号，機種コード，パスワード等のフィールドを持つ。
【００１５】
一方、各端末装置３０は、携帯またはＰＨＳ電話機能を内蔵する携帯端末であって、当該端末装置の機種コードと、当該端末装置に対して予め割り当てられた電話番号、及び固有のＩＤを予め記憶してあると共に、ユーザが任意に設定したパスワードを記憶するための記憶装置３２を有している。この記憶装置３２は、図１の（Ｃ）に示すように、コンピュータ３４の内部メモリとして構成される。該コンピュータ３４には、液晶ディスプレィ等の表示部３６とその表示面上に配されたタッチパネル等の入力部３８と、無線通信回線１０上の不図示無線局との間で通信を行う不図示のマイクロホンとスピーカを含む通信インタフェース４０とが接続されており、例えば、表示部３６にテンキーを表示して、入力部３８にてテンキー入力することで、通信インタフェース４０により電話をかけることができるようになっている。また、脱着可能な記録媒体４２をコンピュータ３４に接続することで、該記録媒体４２より内部メモリ３２にプログラムやデータを格納したり、当該端末装置３０にて作成したデータを記録媒体４２に保存したりすることができるようになっている。
【００１６】
次に、このような構成に於ける動作を説明する。図２乃至図４の（Ａ）は、端末装置３０の動作を示す一連のフローチャートである。即ち、まず電話画面の表示が指示された場合（例えば、電源投入時の初期画面）には、図５の（Ａ）の左側に示すように、電話ボタン３６Ａ、電話アイコン３６Ｂ、電子メールアイコン３６Ｃ、等を表示部３６に表示する（ステップＳ１０）。ここで、プロバイダ登録済みフラグが内部メモリ３２に記憶されているかどうか判定する（ステップＳ１２）。プロバイダ登録済みフラグが無い場合には、プロバイダアイコンとして未登録アイコン３６Ｄを電話画面上に表示する（ステップＳ１４）。
【００１７】
ここで、アイコンの操作待ちとなり（ステップＳ１６）、入力部３８によるアイコン操作がなされると、それがプロバイダアイコン（この場合は、未登録アイコン３６Ｄ）の操作かどうか判断し（ステップＳ１８）、そうでなければ、その操作アイコンに応じた処理を行う。この処理については、本発明の要点とは関係がないので、その説明は省略する。
【００１８】
また、プロバイダアイコンが操作されたと判断したときには（ステップＳ１８）、プロバイダ登録済みフラグが内部メモリ３２に記憶されているかどうか判定する（ステップＳ２０）。プロバイダ登録済みフラグが無い場合には、図５の（Ａ）の右側に示すようなサービス加入画面を表示部３６に表示し（ステップＳ２２）、内部メモリ３２よりＩＤと登録電話番号を読み出して（ステップＳ２４）、それらを該サービス加入画面上に表示する（ステップＳ２６）。そして、パスワードの入力を要求するメッセージを表示する（ステップＳ２８）。これに応じて、ユーザが所望のパスワードを入力して（ステップＳ３０）、登録ボタン３６Ｅを操作すると（ステップＳ３２）、通信インタフェース４０にて、内部メモリ３２に記憶されたサービスプロバイダ２０の電話番号により特定プロバイダへ電話をかけて、回線接続要求（この場合には、登録要求）を送信する（ステップＳ３４）。そして、当該端末装置３０の機種コード，ＩＤ，パスワード，電話番号を送信して（ステップＳ３６）、応答待ちとなる（ステップＳ３８）。
【００１９】
図６は、サービスプロバイダ２２側の動作を示すフローチャートである。即ち、回線接続要求を受けると、まず、それが登録要求であるかどうか判断し（ステップＳ１００）、そうであれば、機種コード，ＩＤ，パスワード，電話番号を受信する（ステップＳ１０２）。そして、例えば予め決められた規則に従った機種コードやＩＤであるとかいった受信データの正当性チェックを実行し（ステップＳ１０４）、その結果が許可できるものであれば（ステップＳ１０６）、受信データを登録者データベース２４に登録して（ステップＳ１０８）、許可応答を送信する（ステップＳ１１０）。また、正当性チェックの結果、不許可のものであれば（ステップＳ１０６）、不許可応答を送信する（ステップＳ１１２）。
【００２０】
端末装置３０は、サービスプロバイダ２２側より応答を受けると（ステップＳ３８）、それが許可応答かどうか判断し（ステップＳ４０）、許可応答であれば、内部メモリ３２に登録済みフラグをセットして（ステップＳ４２）、登録完了メッセージを表示する（ステップＳ４４）。その後、図５の（Ｂ）の左側に示すように、電話画面を表示するが、このとき、プロバイダアイコンとしての未登録アイコン３６Ｄの代わりにパスポートアイコン３６Ｆを表示する（ステップＳ４６）。このパスポートアイコン３６Ｆが表示されていることで、ユーザは当該端末装置３６の登録が既になされていることを知ることができるようになる。そして、回線を切断して（ステップＳ４８）、上記ステップＳ１６に戻り、アイコン操作待ちとなる。
【００２１】
また、サービスプロバイダ２２側からの応答として不許可応答を受信したときには（ステップＳ４０）、不許可メッセージを表示した後（ステップＳ５０）、電話画面表示に戻して（ステップＳ５２）、上記ステップＳ４８に進み、回線を切断することになる。よって、この場合には、プロバイダアイコンとして未登録アイコン３６Ｄが表示されたままとなるので、ユーザは、登録が完了していないことを知ることができる。
【００２２】
また、前述したようにして登録が完了した後、電話画面に於いてアイコン操作がなされ、それがプロバイダアイコンの操作であると判断されると（ステップＳ１８）、プロバイダ登録済みフラグが内部メモリ３２に記憶されているかどうかの判定が行われる（ステップＳ２０）。今度は、プロバイダ登録済みフラグが有ると判断されるので、この場合には、特定プロバイダへ回線接続要求（この場合は、サービス要求）がなされ（ステップＳ５４）、当該端末装置３０の機種コード，ＩＤ，パスワード，電話番号を送信する（ステップＳ５６）。
【００２３】
サービスプロバイダ２０側では、回線接続要求が登録要求ではなくてサービス要求である場合には（ステップＳ１００）、機種コード，ＩＤ，パスワード，電話番号を受信して（ステップＳ１０２）、登録者データベース２４を参照して、それら受信データが登録済みユーザのものであるかどうかチェックする（ステップＳ１１６）。そして、登録済みユーザではない許可できない受信データであれば（ステップＳ１１８）、上記ステップＳ１１２に進んで不許可応答を送信する。これに対して、許可できる登録済みユーザであれば、許可応答を送信する（ステップＳ１２０）。その後、その機種コードより、記憶装置２２に記憶された機種対応のサービスメニューを選択して（ステップＳ１２２）、それを送信することで（ステップＳ１２４）、サービスを開始する。
【００２４】
端末装置３０側では、サービスプロバイダ２０からの応答が許可応答であれば（ステップＳ５８）、サービスメニューを受信して（ステップＳ６０）、図５の（Ｂ）の右側に示すように、その受信したサービスメニュー画面を表示して（ステップＳ６２）、各種サービスを受けられるようにする。
【００２５】
また、不許可応答を受信したときには、不許可メッセージを表示した後（ステップＳ６４）、上記ステップＳ４８に戻って回線を切断する。なお、上記ステップＳ１２に於いて、プロバイダ登録済みフラグが有ると判断された場合には、プロバイダアイコンとしてパスポートアイコン３６Ｆを表示して（ステップＳ６６）、アイコンの操作待ちとなる（ステップＳ１６）。
【００２６】
このように、本第１の実施の形態では、携帯またはＰＨＳ電話機能を内蔵する携帯型の端末装置３０において、オンライン登録時には、ユーザはユーザ識別番号として所望のパスワードを入力するだけで、ＩＤや電話番号等は自動的に端末装置３０で付加してサービスプロバイダ２０側に送信するので、必要な記入事項を極力少なくすることができるようになる。
【００２７】
そして、サービスプロバイダ２０側では、この電話番号を元に、接続を許可しても良い端未（個人）かどうか、またＩＤが既に登録されているものではないか確認し、正当な場合には、ネットワーク接続に関する登録を行う。この一連の登録作業は１〜２分で完了し、完了と同時にユーザはメール等のネットワークサービスを受けることかできる。そして、ユーザは、後日、端末装置３０に同梱されている正式申し込み用紙に必要事項を記入して郵送やＦＡＸ送信等にてサービスプロバイダ２０側に送付することで、登録の全てが完了する。
【００２８】
なお、登録の全てが完了するまでは、ネットワークサービスの全てを許可するのではなく、一部のサービスに限定して使用できるようにしても良い。これは、プロバイダ２０側から送信されるサービスメニューを登録の全てが完了する前と後で変更することで簡単に実現することができる。
【００２９】
次に、本発明の第２の実施の形態を説明する。図４の（Ｂ）は、その構成を示す図で、端末装置３０が、電話機能を内蔵するものではなく、電話機器に接続して使用されるものである場合である。
【００３０】
この場合には、電話番号を内部メモリ３２からではなく、接続された電話機器から読み出す構成とすることで、上記第１の実施の形態と同様の動作を行うことができる。
【図面の簡単な説明】
【００３１】
【図１】（Ａ）は本発明の第１の実施の形態の通信処理装置の適用された端末装置が利用される通信ネットワークの構成を示す図、（Ｂ）はサービスプロバイダの記憶装置に設けられた登録者データベースの記憶構造を示す図であり、（Ｃ）は本発明の第１の実施の形態の通信処理装置の適用された端末装置のブロック構成図である。
【図２】本発明の第１の実施の形態の通信処理装置の適用された端末装置の一連の動作フローチャートの第１の部分を示す図である。
【図３】本発明の第１の実施の形態の通信処理装置の適用された端末装置の一連の動作フローチャートの第２の部分を示す図である。
【図４】（Ａ）は本発明の第１の実施の形態の通信処理装置の適用された端末装置の一連の動作フローチャートの第３の部分を示す図であり、（Ｂ）は本発明の第２の実施の形態の通信処理装置の適用された端末装置の構成を示す図である。
【図５】（Ａ）は未登録時の電話画面と該電話画面に於けるプロバイダアイコン操作時に表示されるサービス加入画面とを示す図であり、（Ｂ）は登録後の電話画面と該電話画面に於けるプロバイダアイコン操作時に表示されるサービスメニュー画面とを示す図である。
【図６】サービスプロバイダ側の動作フローチャートである。
【符号の説明】
【００３２】
１０  通信回線
２０  サービスプロバイダ
２２  記憶装置
２４  登録者データベース
３０，３０Ａ，３０Ｂ  端末装置
３２  記憶装置（内部メモリ）
３４  コンピュータ
３６  表示部
３６Ａ  電話ボタン
３６Ｂ  電話アイコン
３６Ｃ  電子メールアイコン
３６Ｄ  プロバイダアイコン（未登録アイコン）
３６Ｅ  登録ボタン
３６Ｆ  プロバイダアイコン（パスポートアイコン）
３８  入力部
４０  通信インタフェース
４２  記録媒体
【図１】
2004343791.tif 000003
【図２】
2004343791.tif 000004
【図３】
2004343791.tif 000005
【図４】
2004343791.tif 000006
【図５】
2004343791.tif 000007
【図６】
2004343791.tif 000008